(57)【要約】【課題】  窓やショーウインドウ等に用いられるガラスや透明プラスチック、ショーケースやガラスコップ等の内部が透視できる透視性物品或いは鏡その他表面輝度の高い反射性物品に、温湿度の変化を利用して高い意匠性を付与し得るパターン状に防曇効果を有する物品の製造方法を提供する。【解決手段】  光が透過する透視性物品或いは光が反射する反射性物品の表面に、防曇性を有するフィルムをパターン状に貼付するパターン状に防曇効果を有する物品の製造方法。【選択図】    なし【特許請求の範囲】
【請求項１】
光が透過する透視性物品或いは光が反射する反射性物品の表面に、防曇性を有するフィルムをパターン状に貼付することを特徴とするパターン状に防曇効果を有する物品の製造方法。
【発明の詳細な説明】
【技術分野】
【０００１】
本発明は、パターン状に防曇効果を有する物品の製造方法に関し、更に詳しくは窓やショーウインドウ等に用いられるガラスや透明プラスチック、ショーケースやガラスコップ等の内部が透視できる透視性物品或いは鏡その他表面輝度の高い反射性物品に、温湿度の変化を利用して高い意匠性を付与し得るパターン状に防曇効果を有する物品の製造方法に関する。
【背景技術】
【０００２】
多湿な環境や温度差が大きい環境において、透視性を要求される窓、ショーウインドウ、ショーケース等の物品や反射性を要求される鏡等の物品は、結露によって曇り、内部が透視できなくなったり、映像を確認できなくなったりするので、従来から、種々の曇り防止手段が講ぜられている。
【０００３】
上記の如く、これらの透視性物品或いは反射性物品は、その物品の有する透視性或いは反射性がこれらの物品自身の基本的な性能である場合が多く、気中の水蒸気の結露による透過光の乱反射の発生、即ち、曇りの発生は、これらの物品において大きな欠点になる場合が多い。
【０００４】
これらの曇り防止の一般的な手段としては、例えば、これらの透視性物品等に微弱な電流を流して加温して曇りを防止する方法、発熱体を透視性物品近傍に配置し、その熱によって曇りを防止する方法、透視性物品表面近傍に強制的に空気の流れを作って曇りを防止する方法或いはこれらを併用した方法等がある。上記の方法はいずれも、予めこれらの物品を防曇に適した構造にしておく必要があり、一般的には高価なものとなる。
【０００５】
更に、これらの透視性物品等に微弱な電流を流して加温する方法、発熱体を用いて近傍より加温する方法は、いずれも漏電防止のため特に厳重な注意を払い、安全な構造を採る必要があり、且つ、ランニングコストがかかるので経済的な方法とはいえない。
【０００６】
一方、簡易な方法として、防曇効果を有する塗料を噴霧塗布（例えば、ＲＰ東プラ社製、商品名「くもらないスプレー」等）等で塗布する方法や防曇性を有するフィルムをこれら物品に貼着する方法も採られているが、これらの方法は、いずれも防曇効果の寿命が短く、適用範囲は極めて限られたものとなる。
【０００７】
又、物品表面に防曇性の塗料を直接塗布して曇りを防止する方法も採られている。これらの防曇性被膜や防曇性物品の製造方法として、例えば、特許文献１に、親水性のポリビニルアルコールをシランカップリング剤等の架橋剤で架橋して耐水性や表面硬度を高め、良好な接着性を付与し得るとする防曇性被膜が開示され、特許文献２に、比較的親水性を有するポリオール変性メラミン樹脂に界面活性剤を添加した防曇性物品が開示されている。
【０００８】
しかし、上記のいずれの方法も、透視性物品や反射性物品の全面にわったって防曇効果が発揮される。即ち、結露による曇りは物品の性能を低下させるだけのものであるという認識に立った技術であって、結露によって生ずる曇りを積極的に利用して、当該物品の意匠性をより向上させようとする意図は全くない。
【特許文献１】特開平３−１８１５８６号公報
【特許文献２】特開昭５６−１５９２３１号公報
【発明の開示】
【発明が解決しようとする課題】
【０００９】
本発明は、叙上の事実に鑑みなされたものであって、その目的とするところは、結露によって生ずる曇りを積極的に利用して文字や図柄等のパターンが浮きでる意匠性の高いパターン状に防曇効果を有する物品の製造方法を提供することにある。
【課題を解決するための手段】
【００１０】
本発明は、光が透過する透視性物品或いは光が反射する反射性物品の表面に、防曇性を有するフィルムをパターン状に貼付するパターン状に防曇効果を有する物品の製造方法である。
以下に本発明を詳述する。
【００１１】
上記光が透過する透視性物品としては、特に限定されるものではなく、例えば、窓ガラス、間仕切り等の光線を採り入れ、或いは該物品を透過して見ることができるもの、冷凍ショーケース、コップ、瓶、額、包装材料等の内蔵物を透視するもの、トランスペアレンシーシート等の透過光自体を使用するもの等であって、その材質は、ガラス、その他の透光性の無機材料、プラスチックス、その他の透光性の有機材料等の可視光線を透過し得るものが挙げられる。ここで可視光線とは、可視光線の総てである必要はなく、その一部の可視光線を透過し得るものであってもよい。
【００１２】
上記光が反射する反射性物品としては、特に限定されるものではなく、例えば、代表的に鏡が挙げられるが、その他研磨され光沢のある金属、ガラス、金属蒸着されたプラスチックス等、結露による曇りの存在が目視により確認し得るものが挙げられる。
【００１３】
上記パターンとは、表示や装飾効果を目的とする文字や図柄等を指す。
【００１４】
上記防曇性を有するフィルムとしては、特に限定されるものではないが、例えば、セロハン等の親水性セルロース系フィルム、ポリエチレン、ポリプロピレン、塩化ビニル樹脂、ポリエチレンテレフタレート等の合成樹脂に各々界面活性剤を添加したフィルム、上記合成樹脂フィルムに塗布型の防曇処理剤を塗布したフィルム等が挙げられる。これらの防曇性を有するフィルムとして市販されているものは、例えば、大日本印刷社製、商品名「ミランパ」、ＲＰ東プラ社製、商品名「くもらないフィルム」、ソニーケミカル社製、商品名「ボードンフィルム」、理研ビニル工業社製、商品名「ＲＩＶＥＸ−ＡＦ」、日本板硝子社製、商品名「ペルコートＡＦ」、ＦＩＬＭ  ＳＰＥＣＩＡＬＩＴＩＥＳ社製、商品名「ＶＩＳＴＥＸ」等が挙げられる。
【００１５】
上記防曇性を有するフィルムをパターン状に裁断する手段としては、特に限定されるものではないが、例えば、特に粘着シートを任意の形状にカットするカッティングマシン（積水化学工業社製、商品名「セキスイカッティングマシン９２０Ｆ型」等）が好適に用いられる。又、上記防曇性を有するフィルムにパターン状に切れ目を入れておき、該防曇性を有するフィルムを透視性物品或いは反射性物品の表面に貼付後、上記フィルムの不要部分のみを剥離して除去する如くなされていてもよい。
【００１６】
上記防曇性を有するフィルムを上記透視性物品或いは反射性物品の表面に貼付する手段は、特に限定されるものではないが、例えば、接着剤で貼付されてもよく、又、上記防曇性を有するフィルムの裏面に予め粘着剤層を設けておき、被着面に押圧して貼付されてもよく、上記透視性物品或いは反射性物品の表面と上記防曇性を有するフィルムの裏面間に両面粘着テープを介在させて貼付されてもよい。
【００１７】
上記防曇性を有するフィルムが、予め粘着剤層が設けられてなる場合、該防曇性を有するフィルムをパターン状に裁断した後、裏面に積層された粘着剤層を表面に露出させて、被
着体である透視性物品或いは反射性物品の表面に綺麗に貼付するために用いられる通称アプリケションテープに一旦仮着し、これを上記透視性物品或いは反射性物品の表面に転写した後、アプリケションテープのみを剥離して貼付されてもよい。
【発明の効果】
【００１８】
本発明のパターン状に防曇効果を有する物品の製造方法は、叙上の如く構成されているので、透明な防曇性を有するフィルムを用いた場合、結露によって上記物品の表面が曇った場合のみ目的とする文字や図柄等のパターンが浮きでる極めて意匠性の高い物品を、極めて簡単な方法によって得ることができる。
【発明を実施するための最良の形態】
【００１９】
以下に実施例を掲げて本発明を更に詳しく説明するが、本発明はこれら実施例のみに限定されるものではない。
【００２０】
（実施例１）
防曇フィルム（ＲＰ東プラ社製、商品名「くもらないフィルム」）をカッティングマシン（積水化学工業社製、商品名「セキスイカッティングマシン９２０Ｆ型」）で３０ポイントの文字「Ａ」をカットし、マーキングフィルム転写用シート（積水化学工業社製、商品名「セキスイアプリケーションテープ＃５５５」）に仮着し、建築用透明ガラス（旭硝子社製）に貼付し、マーキングフィルム転写用シートを剥離してパターン状に防曇効果を有する物品を得た。
【００２１】
得られたパターン状に防曇効果を有する物品を、温度２３℃、湿度５０％ＲＨの室内に放置した後、呼気を吹きかけたところ、印刷文字「Ａ」の部分だけが曇らず、浮き出して視認でき、該部を通して反対面を透視できた。
【産業上の利用可能性】
【００２２】
本発明のパターン状に防曇効果を有する物品の製造方法は、いずれも極めて簡便な手段によって、結露によって目的とする文字や図柄等のパターンが浮きでる極めて意匠性の高い、パターン状に防曇効果を有する物品を製造することができる。
しかも、上記パターンが装飾効果を目的とする文字や図柄等である場合には、光や温湿度等の環境を適宜変化させることにより、一層装飾効果を高めることができる。